(57)【要約】【課題】画像処理装置における負荷を軽減してシステム全体の処理スループットの向上を実現できるデータ転送制御装置及びそのようなデータ転送制御方法を提供すること。【解決手段】データ処理装置１００と大容量メモリ３００との間のデータ転送の中継をするデータ転送制御装置４００内にデータ記憶部４０２と、処理部４０３とを設ける。データ処理装置１００と大容量メモリ３００とのデータ転送の際に、必要に応じて処理部４０３内で所定の処理を実行する。【選択図】図１
2009301496.tif 000002
【特許請求の範囲】
【請求項１】
ＤＭＡ方式のデータ転送指示を受けて、データ転送元装置から対象データを受信するデータ受信部と、
前記受信された対象データに所定の処理を行う処理部と、
前記処理が行われた対象データをデータ転送先装置に送信するデータ送信部と、
を具備することを特徴とするデータ転送制御装置。
【請求項２】
前記処理部は、
前記所定の処理を特定するための特定情報に基づいて、前記受信された対象データの中から所定のデータを選択するデータ選択部と、
前記特定情報に基づいて、前記選択された所定のデータに対して前記所定の処理に対応した演算を行う演算部と、
を有することを特徴とする請求項１に記載のデータ転送制御装置。
【請求項３】
前記所定の処理は、前記選択された所定のデータのデータサイズを減じる処理を含むことを特徴とする請求項２に記載のデータ転送制御装置。
【請求項４】
前記選択された所定のデータのデータサイズを減じる処理は、前記所定のデータについての四則演算処理、前記所定のデータの中の特定成分のデータのみを抽出する処理、及び前記所定のデータについての四則演算処理と前記所定のデータの中の特定成分のデータのみを抽出する処理の組み合わせを含むことを特徴とする請求項３に記載のデータ転送制御装置。
【請求項５】
ＤＭＡ方式のデータ転送指示を受けて、データ転送元装置から対象データを受信し、
前記受信された対象データに所定の処理を行い、
前記処理が行われた対象データをデータ転送先装置に送信する、
ことを特徴とするデータ転送制御方法。
【発明の詳細な説明】
【技術分野】
【０００１】
本発明は、大容量のデータ転送を中継するデータ転送制御装置及びデータ転送制御方法に関する。
【背景技術】
【０００２】
入出力装置からのデータを効率良く転送する手法の１つとして、入出力装置とシステムメモリとの間でデータ転送を行うＤＭＡ（Direct Memory Access）方式が知られている。ＤＭＡ方式は、一般にデータ転送制御装置やＤＭＡコントローラ等と呼ばれる専用のハードウェアを必要とするが、入出力装置とシステムメモリとの間で直接的にデータ転送を行うことが可能であり、データ転送効率に優れている。また、ＣＰＵを介さずにデータ転送処理を行うことができるので、ＣＰＵの負荷を軽減することが可能である。これによって、システム全体の処理の高速化が実現される。
【０００３】
ここで、複数のバスにデータ転送制御装置を接続する場合は、例えば特許文献１に示されるような複数のバスＩ／Ｆ回路を備えたバスブリッジが必要である。特許文献１では、データ転送制御装置に中継装置を持たせることにより、複数のバスにデータ転送制御装置を接続することが可能である。また、この中継装置にデータ記憶部を持たせることでデータの連続転送を可能とした技術が特許文献２において提案されている。
【０００４】
以上のようなＤＭＡ方式は、例えば、デジタルカメラ等の画像処理装置に用いられている。デジタルカメラにおいては、画像処理部内にシステムメモリを設けるとともに、画像処理部の外部にＤＲＡＭ等の大容量メモリを配置している。このような構成において、大容量メモリに格納された画像データは画像処理部内のシステムメモリに蓄積されつつ、逐次処理される。画像処理の終了後、処理されたデータが大容量メモリに格納されるか又はデジタルカメラの周辺装置に転送されることで出力される。
【特許文献１】特開平１１−１３４２８９号公報
【特許文献２】特開２００４−３５５０４１号公報
【発明の開示】
【発明が解決しようとする課題】
【０００５】
近年、画像処理装置で取り扱う画像データは高画質化（多画素化）が進行してきており、これに伴って画像処理の複雑度も増している状況にある。一例としてフィルタ処理について説明する。フィルタ処理は、画像データを複数の処理単位に分割し、分割した処理単位毎に所定のフィルタ演算を実行する処理である。このフィルタ処理の際のフィルタの性能を向上させるためには、カーネルサイズを拡大し且つ演算精度を上げる必要がある。この場合、１つの処理単位のフィルタ処理に必要となる画像データのデータサイズが増加する。１つの処理単位のデータサイズが増加すると、分割処理によるオーバーヘッド（負荷）が生じてしまう。このように、高画質化を図ることはシステム性能を低下させる一因となっている。
【０００６】
本発明は、上記の事情に鑑みてなされたもので、画像処理装置における負荷を軽減してシステム全体の処理スループットの向上を実現できるデータ転送制御装置及びそのようなデータ転送制御方法を提供することを目的とする。
【課題を解決するための手段】
【０００７】
上記の目的を達成するために、本発明の第１の態様のデータ転送制御装置は、ＤＭＡ方式のデータ転送指示を受けて、データ転送元装置から対象データを受信するデータ受信部と、前記受信された対象データに所定の処理を行う処理部と、前記処理が行われた対象データをデータ転送先装置に送信するデータ送信部とを具備することを特徴とする。
【０００８】
また、上記の目的を達成するために、本発明の第２の態様のデータ転送制御方法は、ＤＭＡ方式のデータ転送指示を受けて、データ転送元装置から対象データを受信し、前記受信された対象データに所定の処理を行い、前記処理が行われた対象データをデータ転送先装置に送信することを特徴とする。
【発明の効果】
【０００９】
本発明によれば、画像処理装置における負荷を軽減してシステム全体の処理スループットの向上を実現できるデータ転送制御装置及びそのようなデータ転送制御方法を提供することができる。
【発明を実施するための最良の形態】
【００１０】
以下、図面を参照して本発明の実施形態を説明する。  
図１は、本発明の一実施形態に係るデータ転送制御装置を有する画像処理装置の一例の構成を示す図である。ここで、図１は、画像処理装置の例として、デジタルカメラを示している。図１に示すデジタルカメラは、データ処理装置１００と、プロセッサ２００と、大容量メモリ３００と、データ転送制御装置４００とを有している。ここで、データ処理装置１００に含まれる各部はそれぞれインターコネクトバスを介してデータ転送制御装置４００に接続されている。また、データ転送制御装置４００は、データバスを介して大容量メモリ３００に接続されている。このような構成において、データ処理装置１００に含まれる各部はデータ転送制御装置４００を介して大容量メモリ３００との間でＤＭＡ方式によるデータ転送を行う。
【００１１】
図１において、データ処理装置１００は、撮像部１０１と、画像生成部１０２と、画像圧縮部１０３と、画像表示部１０４と、画像記録部１０５とを有している。ここで、撮像部１０１、画像生成部１０２、画像圧縮部１０３、画像表示部１０４、画像記録部１０５はそれぞれが１つ以上の入出力Ｉ／Ｆ（インタフェース）を有していて、大容量メモリ３００以外とのデータ転送も可能に構成されている。
【００１２】
撮像部１０１は被写体を撮像し、この撮像によって得られる被写体の像をデジタルの画像データとして取り込む。撮像部１０１において取り込まれた画像データはデータ転送制御装置４００を介して大容量メモリ３００に格納される。なお、本実施形態において、撮像部１０１において得られる画像データはベイヤ画像データであるとする。ベイヤ画像データとは、Ｒ（赤）データとＧ（緑）データの行と、Ｇ（緑）データとＢ（青）データの行とが交互に配置される画像データのことである。図２にベイヤ画像データの画素配列を示す。
【００１３】
画像生成部１０２は、大容量メモリ３００から読み出され、データ転送制御装置４００で処理された画像データを処理する。画像生成部１０２において処理された画像データはデータ転送制御装置４００を介して大容量メモリ３００に格納される。
【００１４】
画像圧縮部１０３は、画像データの記録時には、画像生成部１０２において処理され、大容量メモリ３００に格納された画像データを圧縮する。また、画像データの再生時には、画像圧縮部１０３は、圧縮された画像データを伸張する。
【００１５】
画像表示部１０４は、画像生成部１０２で生成された画像データに基づく画像を表示する。画像記録部１０５は、画像圧縮部１０３で圧縮された画像データを記録する。
【００１６】
プロセッサ２００は、データ転送制御装置４００の動作制御等を行う。また、本実施形態において、プロセッサ２００は、画像生成部１０２において生成される画像データのフォーマットとデータ転送制御装置４００に実行させるデータ処理の内容等を設定するための特定情報をデータ転送制御装置４００に出力する。なお、画像データのフォーマットとしては、ＹＣ４２２等の画像形式を示す情報、１フレーム分の画像データにおける各画像データのビット数及び配置を示す情報、さらには各画像データの座標位置を示す情報等を含む。例えば、ＹＣ４２２であれば、輝度（Ｙ）と色差（Ｃｂ、Ｃｒ）とのデータ数比がＹ：Ｃｒ：Ｃｂ＝４：２：２である。
【００１７】
データ転送制御装置４００は、データ転送元装置とデータ転送先装置との間のデータ転送を中継する。ここで、データ転送元装置とは転送されるべきデータを格納している側の装置のことであり、データ転送先装置とはデータ転送元装置からのデータが転送される側の装置のことである。例えば、画像生成部１０２に着目すると、画像生成部１０２において画像データを処理する場合には、画像生成部１０２がデータ転送先装置となり大容量メモリ３００がデータ転送元装置となる。逆に、画像生成部１０２で処理された画像データを大容量メモリ３００に格納する場合には、画像生成部１０２がデータ転送元装置となり大容量メモリ３００がデータ転送先装置となる。また、本実施形態において、データ転送制御装置は、データ転送元装置からデータバス経由で入力されたデータを内部で一時的に記憶し、この記憶したデータに対して所定の処理を施した上でデータ転送先装置に出力する。
【００１８】
図３は、データ転送制御装置４００の詳細な構成を示す図である。図３に示すように、データ転送制御装置４００は、転送制御部４０１と、データ記憶部４０２と、処理部４０３と、転送制御部４０４とを有している。即ち、データ転送制御装置４００は、データ読み出し用の転送制御部４０１とデータ書き込み用の転送制御部４０４の２つの転送制御部を有し、これら２つの転送制御部はそれぞれ異なるデータバスに接続されている。
【００１９】
データ受信部としての機能を有する転送制御部４０１は、プロセッサ２００からのデータ転送指示を受けて、データバスに対してバス権の取得要求を行い、データ転送元装置からデータバスを介して所定の読み出し単位毎に転送されてくるデータを受信する。
【００２０】
データ記憶部４０２は、転送制御部４０１で受信されたデータを記憶する。ここで、本実施形態におけるデータ記憶部４０２は、単一或いは複数のＦＩＦＯメモリから構成され、転送制御部４０１から転送されてくる複数の読み出し単位毎のデータを記憶できるだけの記憶容量を有しているものとする。
【００２１】
処理部４０３は、データ記憶部４０２に記憶されたデータに対してプロセッサ２００からの指示に応じた所定の処理を実行する。この処理部４０３は、データ選択部４０３１と、演算部４０３２とを有している。データ選択部４０３１は、データ記憶部４０２に記憶された複数読み出し単位のデータから、所定の処理の対象となるデータを選択するための識別を行う。演算部４０３２は、データ選択部４０３１によって選択されたデータに対して所定の処理の内容に応じた演算を実行する。ここで、演算部４０３２は、四則演算等の汎用的な演算部の組み合わせで構成されているものである。
【００２２】
データ送信部としての機能を有する転送制御部４０４は、プロセッサ２００からのデータ転送指示を受けて、データバスに対してバス権の取得要求を行い、データ転送先装置に所定の書き込み単位毎にデータを送信する。
【００２３】
以下、本実施形態におけるデータ転送制御装置４００の動作について説明する。上述したように、本実施形態ではデータ転送制御装置４００にデータ転送の中継をさせるだけではなく、画像データに対する簡易的な処理も実行させる。
【００２４】
まず、撮像部１０１で得られるベイヤ画像データにおける複数の同色成分の混合処理（以下、ビニング処理と言う）を実行させる例を説明する。なお、ビニング処理を行うことによって、画像のサイズが縮小される。
【００２５】
まず、画像データの転送開始前の設定について説明する。画像データの転送に先立ってプロセッサ２００は、データバスの幅とデータ処理に必要な画素数とを考慮して、データ転送制御装置４００に対して、所定の処理を特定するための特定情報としての、データ転送方法、画像フォーマット、実行させる処理を設定する。
【００２６】
なお、以下の説明においては、転送制御部４０１が１回のデータ転送で取得できる画像データが４画素分であり、また、データ記憶部４０２が４画素×４の１６画素分の画像データを記憶できるものとする。この場合に、プロセッサ２００は、転送制御部４０１に対して、画像データの読み出し時のデータ転送方法として１フレーム分の画像データにおける偶数行と奇数行とを別々に取得するように指示を送る。さらに、プロセッサ２００は、転送制御部４０１に対して、画像フォーマットをBayer２×２（ＲＧＧＢの４画素を１単位とする）とすることを指示するとともに、各画像データのデータバス内の配置を指示する。さらに、プロセッサ２００は、処理部４０３に対して、実行する処理をビニング処理とするように指示する。
【００２７】
このような設定を行うことにより、図４（ａ）、図４（ｂ）に示すようにして、奇数行のみの画像データ、偶数行のみの画像データをデータ記憶部４０２にそれぞれ記憶させることができる。なお、図４（ａ）、図４（ｂ）では、図２の８列目以降のデータについては図示を省略している。
【００２８】
なお、転送制御部４０１は偶数行の画像データと奇数行の画像データとを別々に取得する機能を有していない場合も考えられる。この場合には単位毎の画像データを一括して取得してから、後で奇数行、偶数行の画像データを選択するようにしても良い。即ち、データ記憶部４０２に図４（ａ）、図４（ｂ）に示す形式で画像データが記憶されるのであれば、転送制御部４０１に対する設定は上述したものに限定されない。
【００２９】
続いて、データ転送の開始後の処理の一連の流れについて説明する。データ転送の開始後、転送制御部４０１は、データバスを介してデータ転送元装置としての大容量メモリ３００に格納された画像データを取得し、取得した画像データを図４（ａ）及び図４（ｂ）の形式でデータ記憶部４０２に記憶させる。データ記憶部４０２に、転送制御部４０４が転送可能な分の画像データがデータ記憶部４０２に記憶されると、転送制御部４０４はバス権の取得を要求する。そして、バス権の許可を得ると同時に転送制御部４０４は処理部４０３から出力される画像データのデータ転送先装置（データ処理装置１００の何れかの処理部）への転送を開始する。
【００３０】
転送制御部４０４のデータ転送と並行して処理部４０３のデータ選択部４０３１は、データ記憶部４０２に記憶されている画像データを読み出し、読み出した画像データの位置を例えば図５（ａ）、図５（ｂ）、図５（ｃ）、図５（ｄ）に示すように識別する。即ち、読み出し単位毎の画像データにおける同色成分の位置を識別する。なお、ベイヤ画像の場合、緑成分の位置については、図５（ｂ）、図５（ｃ）に示すように、偶数行の画像データと奇数行の画像データとのそれぞれについて識別される。
【００３１】
データ選択部４０３１において画像データの位置が識別された後、演算部４０３２は、ビニング処理が行えるようにデータ記憶部４０２に記憶された画像データを読み出して加算する。ここで、ビニング処理の加算式を示す。  
R'(m,n)＝(R(2m,2n)＋R(2m,2(n+1))＋R(2(m+1),2n)＋R(2(m+1),2(n+1)))/4
G'(m,n)＝(G(2m,2n)＋G(2m,2(n+1))＋G(2(m+1),2n)＋G(2(m+1),2(n+1)))/4
B'(m,n)＝(B(2m,2n)＋B(2m,2(n+1))＋B(2(m+1),2n)＋B(2(m+1),2(n+1)))/4
なお、上式に示すｍ，ｎは画素位置を示すためのパラメータである。なお、Ｒ'（ｍ,ｎ）、Ｇ'（ｍ，ｎ）、Ｂ'（ｍ，ｎ）の配列も図２に示したベイヤ画像の配列に準じたものである。
【００３２】
図５（ａ）を例にとると、演算部４０３２において、アドレス０に記憶されたＲ（０,０）、Ｒ（０,２）とアドレス２に記憶されたＲ（２,０）、Ｒ（２,２）の４項が加算された後、１/４が乗じられる。これによって新たな画像データＲ'（０,０）が得られる。
【００３３】
図４（ａ）に示すようにしてデータ記憶部４０２に記憶された画像データに対するビニング処理の結果として、図６（ａ）に示す画像データが得られる。また、図４（ｂ）に示すようにしてデータ記憶部４０２に記憶された画像データに対するビニング処理の結果として、図６（ｂ）に示す画像データが得られる。これらのような実行結果を演算部４０３２は転送制御部４０４に出力する。
【００３４】
以上の一連の処理を１フレーム分の画像データに対して連続的に実行することで、図７に示すようなビニング処理後の画像データがデータ転送先装置に転送されることになる。
【００３５】
次に、撮像部１０１で得られるベイヤ画像データから輝度画像を簡易生成する処理を実行させる例を説明する。輝度画像は、例えば撮像部１０１を介して得られた画像における被写体の顔部の画像を検出する場合等に用いられる。
【００３６】
以下の説明においては、縦方向に２画素、横方向に２画素の４画素から１画素分の輝度画像を算出する例について説明する。この場合に得られる輝度画像のサイズは元のベイヤ画像の１/４となる。
【００３７】
まず、画像データの転送開始前の設定について説明する。画像データの転送に先立ってプロセッサ２００は、データバスの幅とデータ処理に必要な画素数とを考慮して、データ転送制御装置４００に対して、データ転送方法、画像フォーマット、実行させる処理を設定する。
【００３８】
例えば、転送制御部４０１が１回のデータ転送で取得できる画像データが４画素分であり、また、データ記憶部４０２が４画素×４の１６画素分の画像データを記憶できるものとすると、プロセッサ２００は、転送制御部４０１に対して、画像データの読み出し時のデータ転送方法として１フレーム分の画像データを２行ずつ取得するように指示を送る。さらに、プロセッサ２００は、転送制御部４０１に対して、画像フォーマットをBayer２×２とすることを指示するとともに、各画像データのデータバス内の配置を指示する。さらに、プロセッサ２００は、処理部４０３に対して、実行する処理を簡易輝度画像生成処理とするように指示する。これにより、図８（ａ）及び図８（ｂ）に示すように、データ記憶部４０２にはＲ、Ｇからなる画像データとＧ、Ｂからなる画像データとが交互に記憶される。
【００３９】
なお、データ記憶部４０２の容量に余裕がある場合には、単位毎の画像データを一括して取得してから、後で２行ずつ画像データを選択するようにしても良い。即ち、データ記憶部４０２に図８（ａ）、図８（ｂ）に示す形式で画像データが記憶されるのであれば、転送制御部４０１に対する設定は上述したものに限定されない。
【００４０】
続いて、データ転送の開始後の処理の一連の流れについて説明する。データ転送の開始後、転送制御部４０１は、データバスを介してデータ転送元装置としての大容量メモリ３００に格納された画像データを取得し、取得した画像データを図８（ａ）及び図８（ｂ）の形式でデータ記憶部４０２に記憶させる。データ記憶部４０２に、転送制御部４０４が転送可能な分の画像データがデータ記憶部４０２に記憶されると、転送制御部４０４はバス権の取得を要求する。そして、バス権の許可を得ると同時に転送制御部４０４は処理部４０３から出力される画像データのデータ転送先装置への転送を開始する。
【００４１】
転送制御部４０４のデータ転送と並行して処理部４０３のデータ選択部４０３１は、データ記憶部４０２に記憶されている画像データを読み出し、読み出した画像データにおいて加算を行う画像データの位置を例えば図９（ａ）、図９（ｂ）、図９（ｃ）、図９（ｄ）に示すように識別する。即ち、読み出した単位毎の画像データにおいて、左上端から縦方向２画素、横方向２画素ずつの画素位置を識別する。
【００４２】
データ選択部４０３１において画像データの位置が識別された後、演算部４０３２は、簡易輝度画像生成処理が行えるようにデータ記憶部４０２に記憶された画像データを読み出して加算する。ここで、簡易輝度画像生成処理の加算式を以下に示す。なお、以下の式に示すｍ，ｎは画素位置を示すためのパラメータである。  
Y'(m,n)＝(R(2m,2n)＋G(2m,2n+1)＋G(2m+1,2n)＋B(2m+1,2n+1))/4
図９（ａ）を例にとると、演算部４０３２において、アドレス０に記憶されたＲ（０,０）、Ｇ（０,１）とアドレス１に記憶されたＧ（１,０）、Ｂ（１,１）の４項が加算された後、１/４が乗じられる。これによって輝度画像データＹ'（０,０）が得られる。なお、実際の輝度画像の生成には色成分毎に所定の係数を乗じる必要があるが、ここでは共通の係数１/４を乗じている。
【００４３】
図８（ａ）に示すようにしてデータ記憶部４０２に記憶された画像データに対する簡易輝度画像生成処理の結果として、図１０（ａ）に示す輝度画像データが得られる。また、図８（ｂ）に示すようにしてデータ記憶部４０２に記憶された画像データに対する簡易輝度画像生成処理の結果として、図１０（ｂ）に示す輝度画像データが得られる。これらのような実行結果を演算部４０３２は転送制御部４０４に出力する。
【００４４】
以上の一連の処理を１フレーム分の画像データに対して連続的に実行することで、図１１に示すような輝度画像データがデータ転送先装置に転送される。
【００４５】
このように、本実施形態では、データ転送制御装置内の単純なデータ処理だけでビニング処理や簡易的な輝度画像生成処理を行うことが可能である。即ち、上述の例で示したビニング処理と輝度画像の簡易生成は、何れもベイヤ画像から、ビニング処理と輝度画像の生成にそれぞれ必要な４項のデータを抽出し、この抽出した４項のデータを加算することによって実現することが可能である。したがって、演算部４０３２は、データ選択部４０３１で識別された４項のデータを加算する加算部と、加算部の出力に１/４を乗じる乗算部とから構成できる。このようにして画像処理機能を分解すると、一見異なる機能であっても演算資源の共通化を図ることが可能である。
【００４６】
以上説明したように、本実施形態によれば、撮像部１０１、画像生成部１０２、画像圧縮部１０３、画像表示部１０４、画像記録部１０５と、大容量メモリ３００との間のデータ転送を中継するデータ転送制御装置内で加算処理等の汎用的な処理で所定のデータ処理が実行可能なようにデータ記憶部４０２からデータを選択する。これにより、画像処理装置（デジタルカメラ）内で頻繁に実行されるデータ処理を一般化して演算資源の共有化を図ることが可能である。
【００４７】
また、データ転送中に処理を行うことによって、システム全体の処理性能を低下させずに転送先にデータを転送することができる。このデータ転送中に行う処理をビニング処理や輝度画像の簡易生成といったデータサイズが削減される処理とすることで、データ処理装置１００の各部におけるメモリの使用量の削減やバストラフィックの負荷低減を図ることも可能である。さらに、データ処理装置１００の各部において一部の処理を行う必要がなくなるのでデータ処理装置１００の各部におけるデータ処理の負荷軽減の効果もある。
【００４８】
以上実施形態に基づいて本発明を説明したが、本発明は上述した実施形態に限定されるものではなく、本発明の要旨の範囲内で種々の変形や応用が可能なことは勿論である。例えば、上述の実施形態においては、データ転送制御装置内で行うデータ処理の例として加算処理を用いたビニング処理や輝度画像の簡易生成処理について例示している。しかしながら、四則演算処理（実際には減算処理は加算処理によって代用でき、除算処理は乗算処理によって代用できる）を適宜組み合わせて用いることにより、データ転送制御装置内で各種の空間フィルタ処理を行うことも可能である。この空間フィルタ処理を利用して、例えば特定色のみや輝度データのみといった特定データのみの抽出する処理等を行うことが可能となる。
【００４９】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００５０】
【図１】本発明の一実施形態に係るデータ転送制御装置を有する画像処理装置の一例の構成を示す図である。
【図２】ベイヤ画像データの画素配列を示す図である。
【図３】データ転送制御装置の詳細な構成を示す図である。
【図４】ビニング処理の際にデータ記憶部に記憶される画像データについて示した図である。
【図５】ビニング処理の際の画像データの識別について示した図である。
【図６】ビニング処理の際の演算部の出力について示した図である。
【図７】ビニング処理後に得られる画像データについて示した図である。
【図８】簡易輝度画像生成処理の際にデータ記憶部に記憶される画像データについて示した図である。
【図９】簡易輝度画像生成処理の際の画像データの識別について示した図である。
【図１０】簡易輝度画像生成処理の際の演算部の出力について示した図である。
【図１１】簡易輝度画像生成後に得られる画像データについて示した図である。
【符号の説明】
【００５１】
１００…データ処理装置、１０１…撮像部、１０２…画像生成部、１０３…画像圧縮部、１０４…画像表示部、１０５…画像記録部、２００…プロセッサ、３００…大容量メモリ、４００…データ転送制御装置、４０１…転送制御部、４０２…データ記憶部、４０３…処理部、４０４…転送制御部、４０３１…データ選択部、４０３２…演算部
【図１】
2009301496.tif 000003
【図２】
2009301496.tif 000004
【図３】
2009301496.tif 000005
【図４】
2009301496.tif 000006
【図５】
2009301496.tif 000007
【図６】
2009301496.tif 000008
【図７】
2009301496.tif 000009
【図８】
2009301496.tif 000010
【図９】
2009301496.tif 000011
【図１０】
2009301496.tif 000012
【図１１】
2009301496.tif 000013